(57)【要約】【課題】  拘束時の短時間動作電流値と過負荷運転時の不動作電流値の比が小さい過負荷保護器を提供する。【解決手段】  Ｃ接点構成のサーモスイッチにより、主バイメタル加熱用の正特性サーミスタ素子を、周囲温度が設定値より低い場合は主バイメタルと被保護電動機の直列回路に並列接続し、設定値より高い場合は主バイメタルのみに並列接続するように切り替える。【選択図】図２
0003120688.tif 000002
【実用新案登録請求の範囲】
【請求項１】
被保護電動機と直列に接続され、通電される電流が増大することによって電流を遮断する主バイメタルと、該主バイメタルを加熱する正特性サーミスタ素子と、該正特性サーミスタ素子の接続を周囲温度により切り替えるサーモスイッチから成る過負荷保護器において、
前記サーモスイッチは、前記正特性サーミスタ素子を、周囲温度が設定値より低い場合は前記主バイメタルと被保護電動機の直列回路に並列接続し、設定値より高い場合は主バイメタルのみに並列接続するように切り替えるＣ接点構成であることを特徴とする過負荷保護器。
【請求項２】
被保護電動機と直列に接続され、通電される電流が増大することによって電流を遮断する主バイメタルと、該主バイメタルを加熱する正特性サーミスタ素子と、該正特性サーミスタ素子の接続を周囲温度により通電、又は非通電とするサーモスイッチから成る過負荷保護器において、
前記サーモスイッチは、前記正特性サーミスタ素子を、周囲温度が設定値より低い場合は前記主バイメタルと被保護電動機の直列回路に並列接続し、設定値より高い場合は接点を開くＢ接点構成であることを特徴とする過負荷保護器。
【請求項３】
被保護電動機と直列に接続され、通電される電流が増大することによって電流を遮断する主バイメタルと、該主バイメタルを加熱する円板状で両側に電極面を有する正特性サーミスタ素子と、該正特性サーミスタ素子を周囲温度により通電、又は非通電とするサーモスイッチから成る過負荷保護器において、
前記サーモスイッチの一方の端子と前記正特性サーミスタ素子の一方の電極面とをバネ端子を介して直列接続し、
前記正特性サーミスタ素子の他方の電極面は、前記主バイメタルの中央の小穴を貫通して該主バイメタルと熱的、及び電気的に接続された主バイメタル保持兼動作温度調整用ネジの頭部と、金属の薄板を介して良熱伝導状態で電気的に接続され、
前記サーモスイッチの他方の端子は、前記被保護電動機と電源ラインとの接続点に接続され、
前記サーモスイッチは、周囲温度が設定値より低い場合は接点を閉じ、設定値より高い場合は接点を開くＢ接点構成であることを特徴とする過負荷保護器。
【請求項４】
主バイメタル加熱用に、正特性サーミスタ素子に代えて抵抗器を用いたことを特徴とする請求項１もしくは２記載の過負荷保護器。
【請求項５】
請求項１ないし４のいずれかの過負荷保護器を用いた機器。
【考案の詳細な説明】
【技術分野】
【０００１】  本考案は、空調機器や電気冷蔵庫等の冷凍サイクルを構成する圧縮機を保護するのに好適な過負荷保護器およびこれを用いた機器に関する。
【背景技術】
【０００２】  空調機器等に使用される出力１ＨＰを超える容量の圧縮機モータは、モータ回転子拘束時の短時間動作電流値と過負荷運転時の不動作電流値の比が小さく、従来の主として電流のみに応動する過負荷保護器では保護が不可能であった。
つまり、周囲温度が低い条件下でもモータ回転子拘束時には短時間で主バイメタルを動作させモータ巻線の温度上昇を許容値以下に抑制し、逆に、運転中で過負荷保護器の周囲温度が高い条件下でも通常予想される軽度の過負荷状態では動作させないことが要求され、その電流比が略２：１程度しかなく、通常の主バイメタルのみを用いた圧縮機外付けタイプの過負荷保護器では実現できず、やむを得ず高価なインターナル（内付け）タイプが使用されていた。【０００３】  そこで本出願人は、圧縮機外郭に設置できる皿形の主バイメタルＢ等から成るプロテクタ部ＰとサーモスイッチＴＨを一体的に配設した特許文献１、特許文献２の過負荷保護器を提案した。これについて以下に説明する。【０００４】  特許文献１の回路図を図６に示す。常時閉路で所定の中温度以上で開路するサーモスイッチＴＨ１と、これにより通電される抵抗器Ｒを主バイメタルＢの近傍に設け、サーモスイッチＴＨ１と抵抗器Ｒの直列回路を負荷であるモータＭと並列に接続するものである。【０００５】  これにより、サーモスイッチＴＨ１が設定温度（例えば７０℃）以下であれば抵抗器Ｒが通電されて発熱し主バイメタルＢの周囲温度を上昇させるので、モータ回転子拘束時の電流値が小さくても（拘束電流と過負荷不動作電流の比が小さくても）モータ巻線の温度が許容値を超える前に主バイメタルＢを動作させることができる。又、運転中で過負荷保護器の周囲温度が高い（例えば７０℃以上）条件下では、サーモスイッチＴＨ１は開路し抵抗器Ｒが発熱しないので通常予想される軽度の過負荷状態で不必要に主バイメタルＢが動作することはない。【０００６】  次に、特許文献２の回路図を図７に示す。主バイメタルＢに並列に接続され該主バイメタルＢを加熱する正特性サーミスタ素子ＰＴＣと、主バイメタルＢに直列に接続され該主バイメタルＢを加熱するヒータＨと、ヒータＨと並列に接続され常時開路で所定の中温度以上で閉路するサーモスイッチＴＨ２とからなる過負荷保護器で、負荷であるモータＭと直列に接続するものである。【０００７】  この方式でも、サーモスイッチＴＨ２が設定温度（例えば７０℃）以下で開路していれば、ヒータＨが通電されて発熱し主バイメタルＢの周囲温度を上昇させるので、モータ回転子拘束時の電流値が小さくてもモータ巻線の温度が許容値を超える前に主バイメタルＢを動作させることができる。又、運転中で過負荷保護器の周囲温度が高い（例えば７０℃以上）条件下では、サーモスイッチＴＨ１は閉路しヒータＨが短絡されて発熱しないので、通常予想される軽度の過負荷状態で不必要に主バイメタルＢが動作することはない。【０００８】  更に、主バイメタルＢに並列に正特性サーミスタ素子ＰＴＣが接続されているため、モータ回転子拘束により主バイメタルＢが動作すると正特性サーミスタ素子ＰＴＣに略電源電圧が印可され発熱し、主バイメタルＢが加熱されて復帰時間が遅くなる。
このため、モータの拘束状態が続いて主バイメタルＢが動作、復帰を繰り返しても動作時間が短く復帰時間が長くなることで通電率が低くなり、モータ巻線の温度上昇を抑制することができる。
【特許文献１】公開特許公報平６−４４８８４
【特許文献２】国際公開公報ＷＯ２００５／０３６５７９Ａ１
【考案の開示】
【考案が解決しようとする課題】
【０００９】  しかしながら、特許文献１の過負荷保護器では、主バイメタルが動作中（開路中）は抵抗器には通電されないため復帰時間を長くできず、出力１ＨＰを超える容量の圧縮機モータでは回転子拘束時の巻線の温度上昇を許容値以下に抑制することができなかった。【００１０】  又、特許文献２の過負荷保護器では、サーモスイッチはモータ電流を直に開閉するため、出力１ＨＰを超える容量の圧縮機モータでは電流値が大きくなり、通電によるジュール熱で自己発熱して過負荷保護器内部温度を上昇させ、主バイメタルの不動作電流値を下げてしまうという問題があった。【００１１】  本考案は、上述した課題を解決するためになされたものであり、その目的とするところは、出力１ＨＰを超える容量の圧縮機モータの焼損保護ができる、圧縮機外付けタイプの過負荷保護器を安価に提供することにある。
【課題を解決するための手段】
【００１２】  上記目的を達成するため、請求項１の考案は、被保護電動機と直列に接続され、通電される電流が増大することによって電流を遮断する主バイメタルと、該主バイメタルを加熱する正特性サーミスタ素子と、該正特性サーミスタ素子の接続を周囲温度により切り替えるサーモスイッチから成る過負荷保護器において、
前記サーモスイッチは、前記正特性サーミスタ素子を、周囲温度が設定値より低い場合は前記主バイメタルと被保護電動機の直列回路に並列接続し、設定値より高い場合は主バイメタルのみに並列接続するように切り替えるＣ接点構成であることを技術的特徴とする。【００１３】  請求項２の考案は、被保護電動機と直列に接続され、通電される電流が増大することによって電流を遮断する主バイメタルと、該主バイメタルを加熱する正特性サーミスタ素子と、該正特性サーミスタ素子の接続を周囲温度により通電、又は非通電とするサーモスイッチから成る過負荷保護器において、
前記サーモスイッチは、前記正特性サーミスタ素子を、周囲温度が設定値より低い場合は前記主バイメタルと被保護電動機の直列回路に並列接続し、設定値より高い場合は接点を開くＢ接点構成であることを技術的特徴とする【００１４】  請求項３の考案は、被保護電動機と直列に接続され、通電される電流が増大することによって電流を遮断する主バイメタルと、該主バイメタルを加熱する円板状で両側に電極面を有する正特性サーミスタ素子と、該正特性サーミスタ素子を周囲温度により通電、又は非通電とするサーモスイッチから成る過負荷保護器において、
前記サーモスイッチの一方の端子と前記正特性サーミスタ素子の一方の電極面とをバネ端子を介して直列接続し、
前記正特性サーミスタ素子の他方の電極面は、前記主バイメタル中央の小穴を貫通して該主バイメタルと熱的、及び電気的に接続された主バイメタル保持兼動作温度調整用ねじの頭部と、金属の薄板を介して良熱伝導状態で電気的に接続され、
前記サーモスイッチの他方の端子は、前記被保護電動機と電源ラインとの接続点に接続され、
前記サーモスイッチは、周囲温度が設定値より低い場合は接点を閉じ、設定値より高い場合は接点を開くＢ接点構成であることを技術的特徴とする。【００１５】  請求項４の考案は、請求項１もしくは２記載の過負荷保護器において、主バイメタル加熱用に、正特性サーミスタ素子に代えて抵抗器を用いたことを技術的特徴とする。
【考案の効果】
【００１６】  請求項１の過負荷保護器では、周囲温度がサーモスイッチの設定値以下では、正特性サーミスタ素子に常時通電されるため、モータ回転子拘束時には短時間で主バイメタルを動作させ、更に復帰までの時間を長くすることができる。
又、周囲温度がサーモスイッチの設定値以上では、通常（主バイメタル閉路中）は正特性サーミスタ素子に通電されず、運転継続が必要な軽度の過負荷電流値（過負荷不動作電流値）を低下させることがない。この場合でも回転子拘束による主バイメタルの動作時には正特性サーミスタ素子に通電され復帰までの時間を長くすることができ、モータ巻線の温度上昇を許容値以下に抑制することができる。
更に、サーモスイッチには、正特性サーミスタ素子を加熱するのに必要な数十ｍＡから百数十ｍＡの僅かな電流しか流れないため、自己発熱もなく設定温度で正確に動作可能となり、２ＨＰ以上の高容量の圧縮機モータにも使用できる。【００１７】  請求項２の過負荷保護器では、周囲温度がサーモスイッチの設定値以下では請求項１の過負荷保護器と同じく、正特性サーミスタ素子に常時通電され、モータ回転子拘束時には短時間で主バイメタルを動作させ、更に復帰までの時間を長くすることができる。
又、周囲温度がサーモスイッチの設定値以上では、正特性サーミスタ素子に通電されず、過負荷不動作電流値を低下させることがない。この場合回転子拘束による主バイメタルの動作時には正特性サーミスタ素子に通電されず復帰までの時間を長くすることはできないが、１ＨＰ〜１．５ＨＰ程度の中容量の圧縮機モータには十分適用できる。
更に、サーモスイッチには、正特性サーミスタ素子を加熱するのに必要な僅かな電流しか流れないことに加え、構造が簡単で安価なＢ接点タイプを使用できる。【００１８】  請求項３の過負荷保護器では、周囲温度がサーモスイッチの設定値以下の場合に、主バイメタル通電中は正特性サーミスタ素子にも通電され、モータ回転子拘束時に短時間で主バイメタルを動作させることができる。更に、発熱体の正特性サーミスタ素子と主バイメタルが、熱、及び電気の良導体である銅合金等の薄板と調整用ねじの頭部を介して熱抵抗の小さい状態で接続されているので、正特性サーミスタ素子の発熱を素早く主バイメタルに伝えることができ、主バイメタルの動作を一段と早めることができる。
主バイメタル動作中（開路中）は正特性サーミスタ素子には通電されないが、正特性サーミスタ素子と主バイメタルの熱伝導が優れているため、熱容量が比較的大きい正特性サーミスタ素子の余熱が主バイメタルに伝わり、復帰までの時間を長くする効果もある。
更に、サーモスイッチには、請求項２の過負荷保護器と同様小容量のＢ接点タイプを使用できる。【００１９】  請求項４の過負荷保護器では、請求項１もしくは２の過負荷保護器の正特性サーミスタ素子に代えて安価な抵抗器を使用するため、正特性サーミスタ素子の特徴（常温抵抗値が低いため突入電流が流れ素早く高温になる。安定温度が電源電圧や周囲温度の影響を受けにくい。）がなくなり保護性能は若干悪くなるが、安価な過負荷保護器を提供することができる。
【考案を実施するための最良の形態】
【００２０】［第１実施形態］
本考案の請求項１を示す第１実施形態の構成を図１〜図２を参照して説明する。図１（Ａ）は過負荷保護器の平面図、図１（Ｂ）は右側面図、図１（Ｃ）は正面図、図１（Ｄ）はＡ１−Ａ２で切断した矢視図、図１（Ｅ）はサーモスイッチと取付具を外した状態でＢ１−Ｂ２で切断した矢視図である。
過負荷保護器１０は、圧縮機等の被保護体の外面に取り付けられる。１は絶縁物製で一端解放の筒状ケースで、プロテクタ部２０と所定の温度で接点の接続が切り替わるＣ接点構成のサーモスイッチ３０が筒状ケース１の開放端に向かって併設されている。【００２１】  プロテクタ部２０の機械的構成について説明する。プロテクタ部２０は、皿形の主バイメタル２１、主バイメタルの動作温度調整用の調整ねじ２２、調整ねじ固定用のナット３５、コイルばね２３を備え、主バイメタル２１はコイルばね２３により調整ねじ２２の頭部２２Ａに押し当て保持されている。２４、２４は筒状ケース１の底部に植設された固定接点板で固定接点２５、２５を備え、外部端２４Ａ、２４Ａはそれぞれリード線の半田付けを容易にするためカールされている。２６、２６は主バイメタル２１に設けられた可動接点で、それぞれ固定接点２５、２５に対向接離する。調整ねじ２２の頭部２２Ａにはマイカ等の耐熱性絶縁物の薄板による絶縁板２７と、ばね性金属の薄板による電極端子２８を介して正特性サーミスタ素子５０が配置されている。電極端子２８の一部は延長されその端部は円弧状に折り返され、筒状ケース１の内壁面と一方の固定接点板２４の間に折り返し部のばね性を利用して圧入されている。正特性サーミスタ素子５０の下側にはばね性金属の薄板によるばね端子２９が配置され、ばね端子２９は合成樹脂からなる円板状のカバー３１とカバー３１を筒状ケース１の開放端の段部１Ａに押し付け固定するためのばね性金属の薄板による取付具３２により、正特性サーミスタ素子５０に一定の圧力を保持して押付けられており、その一端は延長されてＬ字状に曲げられ、筒状ケース１の底部に植設された中継端子３３に沿って筒状ケース１の外側に突出し、突出部２９Ａは中継端子３３の外部端３３Ａに溶接固定されている。３４はばね端子２９のＬ字状に曲げられた延長部と正特性サーミスタ素子５０及び電極端子２８の間を絶縁するための絶縁紙である。【００２２】  次に、サーモスイッチ３０は筒状ケース１の側面の係合部１Ｂに取付具３２に挟まれる形で取付けられ接着剤３６にて係合部に固定されており、図示しないが常時開路のＡ接点、常時閉路のＢ接点、及びそれらの間を反転移動して設定温度以下ではＢ接点側、設定温度以上ではＡ接点側に接触する共通接点で構成され、Ａ接点、及び共通接点の外部引出し線３０Ａ、３０Ｃはそれぞれ端部の被覆を剥がしてかしめ取付けされた溶接端子３７を介して３０Ａは片方の固定接点板２４の外部端２４Ａの根本付近に溶接され、３０Ｃは中継端子３３の外部端３３Ａに溶接固定されている。一方Ｂ接点の外部引出し線３０Ｂは端部の被覆を剥がし外部接続しやすい状態にされている。【００２３】  図２は過負荷保護器１０の回路図である。交流電源Ｅと圧縮機のモータＭとの間に過負荷保護器１０は配置される。過負荷保護器１０では、主バイメタル２１がモータＭと直列接続され、正特性サーミスタ素子５０はＣ接点構成のサーモスイッチ３０により常時はＢ接点側に接続されるので主バイメタル２１とモータＭの直列回路に並列接続され、設定温度（例えば６０℃）以上ではサーモスイッチ３０がＡ接点側に切り替わることで主バイメタル２１のみに並列接続される。【００２４】  上記説明した過負荷保護器の動作について図２を参照して説明する。
周囲温度が低い条件下で回転子拘束状態の圧縮機モータＭを始動しようとした場合、主バイメタル２１に拘束電流が流れ自己発熱すると共に、正特性サーミスタ素子５０に電源電圧が印可され突入電流により急速にキュリーポイント以上の温度（例えば１２０℃）まで上昇して主バイメタル２１を加熱することで、主バイメタル２１が比較的短時間で動作温度（例えば１６０℃）に達して反転動作しモータ回路を遮断する。又、主バイメタル２１の動作後も正特性サーミスタ素子５０は発熱を継続するため、主バイメタル２１の復帰時間が長くなり、回転子拘束が継続して主バイメタル２１が動作、復帰を繰り返す状態でもモータＭへの通電率を低くすることができ、巻線の温度上昇を許容温度以下に抑えることができる。この場合、一定時間経過後には過負荷保護器１０自体の温度上昇と圧縮機外郭表面の温度上昇により、サーモスイッチ３０が設定温度の６０℃に達してＡ接点側に切り替わり動作時間の短縮には寄与しなくなるが、この状態では周囲温度が高い場合と同様主バイメタルの自己発熱のみで短時間での動作が可能であり、動作後は正特性サーミスタ素子５０に通電されるので復帰時間を延ばすことができる。【００２５】  一方、通常運転中は過負荷保護器１０自体の温度上昇と圧縮機外郭表面の温度上昇により、サーモスイッチ３０は設定温度以上となりＡ接点側に切り替わっており、正特性サーミスタ素子５０は発熱していないため、継続運転が必要な軽度の過負荷状態が続いても誤動作することがない。【００２６】［第２実施形態］
図３を参照して請求項２を示す第２実施形態に係る過負荷保護器の回路構成について説明する。
図２を参照して上述した第１実施形態では、サーモスイッチ３０に切り替え式のＣ接点タイプを使用していた。これに対して、第２実施形態では常時閉路で設定温度以上で開路するＢ接点タイプを使用している。このためサーモスイッチ４０の動作後は復帰温度を延ばす効果はなくなるが、周囲温度が低い条件下では第１実施形態と同等の動作時間短縮、復帰時間遅延の効果が得られ、サーモスイッチ４０の構造も単純にできる。【００２７】  図４を参照して第２実施形態に係る過負荷保護器の正特性サーミスタ素子５０に代えて抵抗器５１を用いた構造について説明する。
図４（Ｂ）は過負荷保護器の平面図、図４（Ａ）は左側面図、図４（Ｃ）はＣ１−Ｃ２で切断した矢視図、図４（Ｄ）はＤ１−Ｄ２で切断した矢視図、図４（Ｅ）は平面図のプロテクタ部を取り外しサーモスイッチを表した図、図４（Ｆ）はサーモスイッチを取り外しプロテクタ部を表した下面図である。
１は絶縁物製で一端解放の筒状ケースで、プロテクタ部２０が配設され、所定の温度で接点が開閉するＢ接点構成のサーモスイッチ４０のサーモベース２が筒状ケース１の開放端を閉じる形に組み合わされ、その外側には絶縁用の合成樹脂からなる円板状のキャップ３が接着剤により固定されている。【００２８】  プロテクタ部２０の機械的構成について説明する。プロテクタ部２０は、皿形の主バイメタル２１、調整ねじ２２、コイルばね２３を備え、主バイメタル２１は調整ねじ２２の頭部２２Ｃに押し当て保持されている。この調整ねじ２２は、ねじ部２２Ｂと頭部２２Ｃから成り、熱可溶金属２２Ｄで固定されたものである。主バイメタル２１の上側には、該主バイメタル２１を加熱する抵抗器５１が配置され、該抵抗器５１の２本のリード線５１Ａ、５１Ａは電源接続側の固定接点板２４とサーモスイッチ４０接続用の中継端子３３に溶接固定されている。【００２９】  尚、この様なプロテクタ部４０の主バイメタル２１が被保護圧縮機の故障等で動作、復帰を長期間繰り返し固定接点２５と可動接点２６が溶着すると、調整ねじ頭部２２Ｃとねじ部２２Ｂを結合していた熱可溶金属２２Ｄが溶融し、コイルばね２３により主バイメタル２１が押し下げられ溶着していた接点を解離する。この後は主バイメタル２１が旧位置に戻ることなく非復帰式の動作となる。又、調整ねじ頭部２２Ｃとサーモスイッチ４０との間には可とう性の絶縁材４が配置され非復帰動作時に調整ねじ頭部２２Ｃがサーモスイッチ４０に接触するのを防止している。【００３０】  次に、サーモスイッチ４０の機械的構成について説明する。サーモスイッチ４０は、可動接点板４４に取付けられたサーモ可動接点４５と、可動接点板４４を支持する可動側端子４３と、該サーモ可動接点４５と接触するサーモ固定接点４２を備えたサーモ固定接点板４１と、可動接点板４４を揺動する皿形のサーモバイメタル４６とから成り、可動側端子４３の外部端４３Ａは前述の中継端子３３の外部端３３Ａに溶接固定されており、サーモ固定接点板４１の外部端４１Ａはカールされている。【００３１】［第３実施形態］
図５を参照して第３実施形態に係る過負荷保護器の回路構成について説明する。
上述した第１実施形態及び第２実施形態では、正特性サーミスタ素子５０、又は抵抗器５１はプロテクタ部２０の固定接点板２４に接続されていた。これに対して、第３実施形態では主バイメタル２１に接続されている。具体的には、主バイメタル２１と電気的、熱的に良伝導状態にある調整ねじ２２の頭部２２Ａに銅合金の薄板による電極面保護板のみを介して正特性サーミスタ素子５０の電極面が押し当てられている。又、サーモスイッチ４０は第２実施形態と同じくＢ接点タイプを使用している。この結果、主バイメタル２１の動作後は正特性サーミスタ素子５０には通電されず、復帰時間遅延の効果は高温になった正特性サーミスタ素子５０の余熱分に限定されるが、周囲温度が低い条件下での動作時間は正特性サーミスタ素子５０の熱が絶縁物を介さずに直接主バイメタル２１に伝わるので第１実施形態や第２実施形態より早くすることができる。
【図面の簡単な説明】
【００３２】
【図１】図１は本考案の第１実施形態に係る過負荷保護器の構成を示し、図１（Ａ）は平面図、図１（Ｂ）は右側面図、図１（Ｃ）は正面図、図１（Ｄ）はＡ１−Ａ２で切断した矢視図、図１（Ｅ）はサーモスイッチと取付具を外した状態でＢ１−Ｂ２で切断した矢視図である。
【図２】第１実施形態に係る過負荷保護器の電気回路図である。
【図３】第２実施形態に係る過負荷保護器の電気回路図である。
【図４】第２実施形態に係る過負荷保護器の正特性サーミスタ素子５０に代えて抵抗器５１を用いた構成を示し、図４（Ｂ）は過負荷保護器の平面図、図４（Ａ）は左側面図、図４（Ｃ）はＣ１−Ｃ２で切断した矢視図、図４（Ｄ）はＤ１−Ｄ２で切断した矢視図、図４（Ｅ）は平面図のプロテクタ部を取り外しサーモスイッチを表した図、図４（Ｆ）はサーモスイッチを取り外しプロテクタ部を表した下面図である。
【図５】第３実施形態に係る過負荷保護器の電気回路図である。
【図６】特許文献１の過負荷保護器の電気回路図である。
【図７】特許文献２の過負荷保護器の電気回路図である。
【符号の説明】
【００３３】１  筒状ケース
１Ａ  筒状ケース開放端の段部
１Ｂ  筒状ケース側面の係合部
２  サーモベース
３  キャップ
４  絶縁材
１０  過負荷保護器
２０  プロテクタ部
２１  主バイメタル
２２  調整ねじ
２２Ａ、２２Ｃ  調整ねじ頭部
２２Ｂ  調整ねじねじ部
２２Ｄ  熱可溶金属
２４  固定接点板
２４Ａ  固定接点板外部端
２５  固定接点
２６  可動接点
２７  絶縁板
２８  電極端子
２９  ばね端子
３０、４０  サーモスイッチ
３０Ａ  サーモスイッチＡ接点の外部引出し線
３０Ｂ  サーモスイッチＢ接点の外部引出し線
３０Ｃ  サーモスイッチ共通接点の外部引出し線
３１  カバー
３２  取付具
３３  中継端子
３３Ａ  中継端子の外部端
３４  絶縁紙
３５  ナット
３６  接着剤
３７  溶接端子
４１  サーモ固定接点板
４１Ａ  サーモ固定接点板外部端
４２  サーモ固定接点
４３  可動側端子
４３Ａ  可動側端子外部端
４４  可動接点板
４５  サーモ可動接点
４６  サーモバイメタル
５０  正特性サーミスタ素子
５１  抵抗器
５１Ａ  抵抗器のリード線
【図１】
0003120688.tif 000003
【図２】
0003120688.tif 000004
【図３】
0003120688.tif 000005
【図４】
0003120688.tif 000006
【図５】
0003120688.tif 000007
【図６】
0003120688.tif 000008
【図７】
0003120688.tif 000009